(57)【要約】【課題】日本古来の一般的な和型墓石において、納骨の際に水鉢を移動させようとする場合に、非力な女性や高齢者でも安全にしかも作業性が向上し、しかも水鉢下部を破損してしまう事故を防できる水鉢の両側面に手懸かり部を設置した墓石を提供する。【解決手段】和型の墓石には水鉢が必須構成品として組み込まれており、納骨の際には納骨部の蓋としての役割を持っている水鉢を移動させる必要がある。本発明においては、非力な女性や高齢者でも容易に移動が行え、しかも水鉢底辺角の損傷を防止するため、該水鉢の両側面に凹凸状の手懸かり部を各種の形状やデザインを選択して形成することにあり、その形成について既存・新設の墓石を問わず実施できる構造及び方法である。【選択図】図３
2008180054.tif 000002
【特許請求の範囲】
【請求項１】
棹石の略中心下部にカロートを有し、前面の水鉢を移動させて納骨を行う墓石において、水鉢の側面に凹型又は凸型の手懸かり部を設けることを特徴とする墓石。
【請求項２】
水鉢の側面に設ける凹型の手懸かり部が両側面間を貫通することを特徴とする請求項１に記載の墓石。
【請求項３】
水鉢の側面に設ける凹型又は凸型の手懸かり部表面に蓮華、宝珠、梵字、仏像等の彫刻を施すことを特徴とする請求項１〜３に記載の墓石。
【請求項４】
請求項１〜３に記載の手懸かり部構造を、既存の墓石に施すことを特徴とする墓石水鉢側面への手懸かり部施工方法。
【発明の詳細な説明】
【技術分野】
【０００１】
本発明は、棹石の略中心下部にカロートを有し、前面の水鉢を移動させて納骨を行う墓石の水鉢の構造に関する物である。
【背景技術】
【０００２】
墓石には和型と洋型の二種類が一般的である。この内、和型の墓石は、上から順番に棹石、上台、下台、芝石、カロート、等と呼ばれている。墓石のこれらの構成は、各地方、各地域などで様々な形状、大きさ、呼び名に付いても異なった物が受け継がれていているが、墓石の前面には通常水鉢が設置されている。この水鉢上部には凹型に水入れ部が加工されており、この水入れ部に入れる水は故人の乾きを癒し成仏を願う遺族の心が叶うようにと言う仏教的祭祀慣習である。
【０００３】
棹石の略中心下部にカロートを有し前面の水鉢を移動させて納骨を行う墓石
においては、通常納骨の際には水鉢を手前に傾けるか又は水平に移動させるかの
後、納骨口を開閉して行われるが、略４０〜７０Ｋｇにも及ぶ重量物を水鉢の下
端角を無傷で行うことは容易でなく、特に高齢者や女性には移動させることすら
困難となる。しかも、墓石特有の表面処理は鏡面に近い仕上げがなされており、
特に濡れた状態では素手で行ってもその表面は滑りやすく、芝石表面と水鉢底面
の間に水幕が構成されると初期摺動すら難しいことは珍しくない。
【０００４】
水鉢を手前に傾けた時に、水鉢下端部の破損を防ぐため水鉢前面部下端に面取
りを行う構造の水鉢が提案されている。しかし、水鉢前面下端を面取りしたことで損傷を最小限に防止することは可能ではあるが初期の作業である前方に傾けるための手懸かりは上部に加工されている水入れ部に限定され、しかも水平移動させるためには更に他部に手を持ち替える必要がある。（例えば、特許文献１参照）
【０００５】
また、水鉢の内部を空洞化する事で軽量化を図り、移動を容易に且つ安全に行う事が出来る特徴を持つ水鉢が提案されている。しかし本提案においても重量が軽減されて移動の作業が軽減されてはいるものの、下端部を傷つけることなく水平移動させるには作業性が良いとは言い切れない。また、既存の墓石に現場施工することは極めて困難である。（例えば、特許文献２参照）
【０００６】
【特許文献１】特開２０００−３５２２２２号公開公報
【特許文献２】特開２００４-６８３７２号公開公報
【発明の開示】
【発明が解決しようとする課題】
【０００７】
水鉢は、故人の乾きを癒す役割をする水を溜める役割の他に、下台空洞部から納骨口、納骨部へと通じる空洞に対する蓋の役割も持っている。すなわち墓が代々墓の場合には、新たに故人の遺骨を納める時に水鉢を移動させ新たな骨壷を納骨部へ納めなければならない。従来型の水鉢は、和型９寸墓用の水鉢であれば、その重量は略７０kgになる。その上、従来の水鉢は略直方体の基本形状が決まっていてかつ表面は鏡面仕上げとなっているため手懸かり部が無く、安全且つ容易に移動させるに通常男性二人の力が必要である。
この為、納骨作業時に水鉢を容易に且つ安全に移動させて納骨を行う事は、墓石の取扱に精通した職人でも細心の注意を払って行う作業である。この作業を不慣れな素人が行う事は大変難しく、例えば幅７寸（約２１cm）の小型墓石であっても水鉢は略４０kgの重量であり前記の幅９寸（約２７cm）の物より比較して軽量であるが、水鉢を移動させる為に水鉢を手前に傾けた際に水鉢下部を破損させる事例が生じ易いと言う問題がある。
【課題を解決するための手段】
【０００８】
本発明は、水鉢の側面に手懸かり部を設ける事で納骨作業を非力な女性や高齢者でも容易に且つ安全に行える様にするものである。また、既存の墓石にも容易に手懸かり部を施工することも可能である事を特徴とする。
【発明の効果】
【０００９】
本発明の水鉢は、納骨作業時に水鉢の下部を損傷する事が多かった心配を取り除きかつその作業を容易ならしめることが出来る構造を提供するものであり、その形状は、手懸かり部を水鉢の側面に設置する事で安全且つ容易に水鉢を移動させる事が出来る。
また、既存の墓石にも容易に対応できるため、施主にとっても経済的にかつその効果の恩恵を受けることができる。
【発明を実施するための最良の形態】
【００１０】
まず、本発明の基本的な実施形態に関わる墓石について図を用いて説明する。図１（ａ）及び図２に示すように従来の墓石１は、略直方体の石材が積み重ねられて構成され、各石材は上から順番にそれぞれ棹石２、上台３、下台４、芝石５、花立て６、カロート７、水鉢８等と呼ばれる物の組み合わせである。下台４の前面部には下台４に密着し、かつ、芝台５の前上面に戴置された水鉢８がある。この様な墓石１には、下台４に下台空洞部１１、芝台５には納骨口１０と、カロート７内部には納骨部９が形成されている。また、水鉢８は下台４の前面に設置され下台空洞部１１を塞ぐ扉の役割をしている。なお、図１（ｂ）は従来型墓石１の水鉢８の単体図である。
【００１１】
本発明の改良型水鉢１２は図３及び図４に示すように、改良型水鉢１２にはその両側面に手懸かり部ａを形成していることが特徴である。改良型水鉢１２は墓石１の前面に設置する物であり、その素材は石材であれば特に天然石、人工石にとらわれない。さらに、改良型水鉢１２の形状は、大阪型、神戸型、京都型、名古屋型等用の特定の形状にとらわれず、全ての水鉢に適用できる。なお、図３（ｂ）は本発明の改良型水鉢１２の単体図である。
【００１２】
以下、本発明の請求項１に記載の実施の形態について図５〜図１０に基づき説明する。
【実施例１】
【００１３】
図５に示すように改良型水鉢１２の両側面に凹型手懸かり部ａを設ける。
この時の凹型手懸かり部ａは改良型水鉢１２の両側面に形成されるがその形状及び深さ等は、本発明に図示以外の円形、楕円形、長方形、その他があり図示による形状に拘束されない。また、改良型水鉢１２の両側面に形成される凹型手懸かり部ａの設置個数は１〜９個設置する事も可能で、その設置個数、位置、設置方向は自由であり本発明の図示には拘束されない。
図５（ａ）は本発明の改良型水鉢１２の平面図、（ｂ）は正面図、（ｃ）は側面図、（ｄ）は（ｂ）のＡ−Ａ断面図である。
【実施例２】
【００１４】
図６に示すように改良型水鉢１２の両側面に凸型手懸かり部ｂを設ける。
この時の凸型手懸かり部ｂは改良型水鉢１２の両側面に形成されるがその形状及び高さ等は、本発明に図示以外の円形、楕円形、長方形、その他があり図示による形状に拘束されない。また、改良型水鉢１２の両側面に形成される凸型手懸かり部ｂの設置個数は１〜９個設置する事も可能で、その設置個数、位置、設置方向は自由であり本発明の図示には拘束されない。
図６（ａ）は本発明の改良型水鉢１２の平面図、（ｂ）は正面図、（ｃ）は側面図である。
【実施例３】
【００１５】
図７に示すように改良型水鉢１２の両側面に凹鍵型手懸かり部ｃを設ける。
この時の凹鍵型手懸かり部ｃは改良型水鉢１２の両側面に形成されるがその形状及び深さ等は、本発明に図示以外の形状も自由であり図示による形状に拘束されない。また、改良型水鉢１２の両側面に形成される凹鍵型手懸かり部ｃの設置個数は１〜９個設置する事も可能で、その設置個数、位置、設置方向は自由であり本発明の図示には拘束されない。
図７（ａ）は本発明の改良型水鉢１２の平面図、（ｂ）は正面図、（ｃ）は側面図、（ｄ）は（ｂ）のＢ−Ｂ断面図、（ｅ）は（ｂ）のＣ−Ｃ断面図である。
【実施例４】
【００１６】
図８に示すように改良型水鉢１２の両側面に凸鍵型手懸かり部ｄを設ける。
この時の凸鍵型手懸かり部ｄは水鉢１２の両側面に形成されるがその形状及び高さ等は、本発明に図示以外の形状も自由であり図示による形状に拘束されない。また、改良型水鉢１２の両側面に形成される凸鍵型手懸かり部ｄの設置個数は１〜９個設置する事も可能で、その設置個数、位置、設置方向は自由であり本発明の図示には拘束されない。
図８（ａ）は本発明の改良型水鉢１２の平面図、（ｂ）は正面図、（ｃ）は側面図である。
【実施例５】
【００１７】
図９に示すように改良型水鉢１２の両側面に凹コ型手懸かり部ｅを設ける。
この時の凹コ型手懸かり部ｅは水鉢１２の両側面に形成されるがその形状及び深さ等は、本発明に図示以外の形状も自由であり図示による形状に拘束されない。また、改良型水鉢１２の両側面に形成される凹コ型手懸かり部ｅの設置個数は１〜９個設置する事も可能で、その設置個数、位置、設置方向は自由であり本発明の図示には拘束されない。
図７（ａ）は本発明の改良型水鉢１２の平面図、（ｂ）は正面図、（ｃ）は側面図、（ｄ）は（ｂ）のＤ−Ｄ断面図、（ｅ）は（ｂ）のＥ−Ｅ断面図である。
【実施例６】
【００１８】
図１０に示すように改良型水鉢１２の両側面に凸コ型手懸かり部ｆを設ける。
この時の凸コ型手懸かり部ｆは水鉢１２の両側面に形成されるがその形状及び高さ等は、本発明に図示以外の形状も自由であり図示による形状に拘束されない。また、改良型水鉢１２の両側面に形成される凸コ型手懸かり部ｆの設置個数は１〜９個設置する事も可能で、その設置個数、位置、設置方向は自由であり本発明の図示には拘束されない。
図１０（ａ）は本発明の改良型水鉢１２の平面図、（ｂ）は正面図、（ｃ）は側面図である。
【００１９】
これら実施例１〜実施例６に示した改良型水鉢１２は、各種形状の手懸かり部ａ〜ｆを改良型水鉢１２に付加する事で、納骨時に改良型水鉢１２を移動させる時に両手を各種形状の手懸かり部ａ〜ｆに掛ける事で力を入れやすく、移動の為の支点を確保する事が出来る。この為、非力な女性でも改良型水鉢１２の下部を損傷する事なく安全且つ容易に改良型水鉢１２を移動させる事が出来る構造となっている。
【００２０】
次に請求項２に記載の実施の形態について図１１に基づき説明する。
改良型水鉢１２には、改良型水鉢１２の両側面間を貫通させる貫通型手懸かり部ｇを形成させることに特徴がある。即ち貫通型手懸かり部ｇを両側面間に貫通させる事で、改良型水鉢１２を移動させる場合に力が掛け易い特徴の他に軽量化が図れるなどの効果により、更に、非力な女性でもより容易に且つ安全に改良型水鉢１２を移動させる事が出来る。また、貫通型手懸かり部ｇの形状は、円形、楕円形、長方形等があり本発明の図示による特定の形状・大きさに拘束されない。さらに、貫通型手懸かり部ｇの個数は１〜９個設置する事も可能であり、本発明の図示に拘束されない。
【００２１】
次に請求項３に記載の実施の形態について図１２に基づき説明する。
改良型水鉢１２は、両側面に設けられる彫刻型手懸かり部ｈに彫刻を施す事を特徴とする。図１２の形態ではバラの花をモチーフに彫刻型手懸かり部ｈに彫刻を施しているが、この他に蓮華、宝珠、梵字、仏像等の彫刻及び故人が好んだ嗜好品の形を彫刻する事も出来る。この場合の彫刻方法は、額彫りを施し凹型に形成する事も凸型に額彫りを施し彫刻を浮き出させるように形成することも可能である。
【００２２】
さらに、現在の世間情勢を鑑みると少子高齢化に伴い一家墓に変わって両家墓が建立される事が多くなってきている。この様な場合、改良型水鉢１２の側面の各種形状の手懸かり部ａ〜ｈに両家の家紋を彫り込み、前面には両家で合意を得た言葉、若しくは梵字・蓮華・仏像等を彫刻する事で両家墓を円満に建立する事も可能である。
【００２３】
請求項１に示した改良型水鉢１２に形成する各種形状の凹凸型手懸かり部ａ〜ｆの手懸かり部の全てに彫刻形成することはもちろん、請求項２に示した貫通型手懸かり部ｈの内面に適宜彫刻形成することも可能であり、形成位置、大小、デザイン的にも自由であり、本発明の図示に拘らない。
【００２４】
次に請求項４に記載の実施の形態について説明する。
請求項１から請求項３に記載の墓石１の改良型水鉢１２に形成する各種形状の手懸かり部ａ〜ｈは、通常新しく加工する墓石として構成することが好ましいが、既に建立されている既存墓にも本発明の各種形状の手懸かり部ａ〜ｈを形成することを特徴とする。
【００２５】
その場合、各種形状の手懸かり部ａ〜ｈの形成方法としては、既設の古い水鉢８を持ち帰り加工しても良く、新規に加工した改良型水鉢１２を製作して取り替えても良い。また、既設の水鉢８を加工する場合において、石材加工用のダイヤモンドカッター、チッパー、サンダー、サンドブラスター等の工具を用いて、現地で直接加工する事も可能である。
【００２６】
さらに、凸型各種形状の手懸かり部ｂ及びｄ並びにｆの形成については、該凸型各種形状の手懸かり部を既設・新設墓石を問わず、後付用の部品として製作して接着剤、ネジ止め等の方法を用いて取り付ける事も可能であり、形状、大小、デザイン的にも自由である。
【図面の簡単な説明】
【００２７】
【図１】従来型墓石斜視図
【図２】従来型墓石側面図
【図３】本発明の実施形態による墓石斜視図
【図４】本発明の実施形態による墓石側面図
【図５】凹型手懸かり部付き水鉢図
【図６】凸型手懸かり部付き水鉢図
【図７】凹鍵型手懸かり部付き水鉢図
【図８】凸鍵型手懸かり部付き水鉢図
【図９】凹コ型手懸かり部付き水鉢図
【図１０】凸コ型手懸かり部付き水鉢図
【図１１】貫通型手掛かり部付き水鉢図
【図１２】彫刻型手懸かり部付き水鉢側面図
【符号の説明】
【００２８】
１  墓石
２  棹石
３  上台
４  下台
５  芝石
６  花立て
７  カロート
８  水鉢
９  納骨部
１０  納骨口
１１  下台空洞部
１２  改良型水鉢
ａ  凹型手懸かり部
ｂ  凸型手懸かり部
ｃ  凹鍵型手懸かり部
ｄ  凸鍵型手懸かり部
ｅ  凹コ型手懸かり部
ｆ  凸コ型手懸かり部
ｇ  貫通型手懸かり部
ｈ  彫刻型手懸かり部
【図１】
2008180054.tif 000003
【図２】
2008180054.tif 000004
【図３】
2008180054.tif 000005
【図４】
2008180054.tif 000006
【図５】
2008180054.tif 000007
【図６】
2008180054.tif 000008
【図７】
2008180054.tif 000009
【図８】
2008180054.tif 000010
【図９】
2008180054.tif 000011
【図１０】
2008180054.tif 000012
【図１１】
2008180054.tif 000013
【図１２】
2008180054.tif 000014